(57)【要約】      （修正有）【課題】簡単な操作で折り畳んでコンパクトにすることで、運搬時にスペースをとることを無くして、大量の運搬を可能にする商品陳列用什器を提供する。【解決手段】間隔を置いて配置した一対の縦枠用フレーム材３と、縦枠用フレーム材を連結した横枠用フレーム材４とをそれぞれ具備して間隔を置いて配置された一対のフレーム２と、一対のフレーム間に配置された底板６と、を具備した商品陳列用什器であって、底板は、一対の板材７を、側面を対向させながら隣り合う配置にするとともに、正面及び背面の両端部分をそれぞれ、縦枠用フレーム材に上下方向に回動自在に連結し、一対の板材の互いに隣り合う部分に、一対の板材のそれぞれが上下方向に回動自在となるように可動フレーム１２を連結し、可動フレームを上昇させることで、底板を山折りに折り畳むことを可能にした。【選択図】図１
0003222586.tif 000002
【実用新案登録請求の範囲】
【請求項１】
間隔を置いて配置した一対の縦枠用フレーム材（３）と、該縦枠用フレーム材（３）を連結した横枠用フレーム材（４）と、をそれぞれ具備して間隔を置いて配置された一対のフレーム（２）と、
該一対のフレーム（２）間に配置された底板（６）と、を具備した商品陳列用什器であって、
前記底板（６）は、
一対の板材（７）を、側面を対向させながら隣り合う配置にすることで構成するとともに、
正面及び背面の両端部分をそれぞれ、前記フレーム（２）を構成する縦枠用フレーム材（３）に上下方向に回動自在に連結し、
前記一対の板材（７）の正面及び背面における互いに隣り合う部分に、前記一対の板材（７）のそれぞれが上下方向に回動自在になるように可動フレーム（１２）を連結し、
前記可動フレーム（１２）を上昇させることで、前記底板（６）を山折りに折り畳むことを可能にした、ことを特徴とする商品陳列用什器。
【請求項２】
前記可動フレーム（１２）は、前記一対の板材（７）のそれぞれに固定した連結金具（１３）を介して前記一対の板材（７）のそれぞれに連結されており、前記連結金具（１３）は、前記一対の板材（７）に固定された装着片（１４）と、該装着片（１４）に連設した、ピン孔（１６）を有する延長片（１５）とを具備するとともに、それぞれのピン孔（１６）が重なる配置で一対の板材（７）のそれぞれに固定され、可動フレーム（１２）に突設したピン部材（１８）で前記ピン孔（１６）を貫通することで、可動フレーム（１２）を一対の板材（７）のそれぞれに固定していることを特徴とする請求項１に記載の商品陳列用什器。
【考案の詳細な説明】
【技術分野】
【０００１】
本考案は商品陳列用什器に係り、より詳しくは、簡単な操作で折り畳んでコンパクトにすることを可能にした商品陳列用什器に関する。
【背景技術】
【０００２】
従来、店舗等において販売目的でパネル、ボード等の板状商品を販売する場合は、多数個の商品を什器に陳列していた。そしてこれにより、多数個の商品を陳列しつつ販売可能としていた。
【０００３】
ここで、従来使用されていた商品陳列用什器について図を参照して説明すると、図６及び図７は従来使用されていた商品陳列用什器を示す図であり、図６は斜視図を示し、図７は正面図を示している。そして、従来の商品陳列用什器３１は、複数本の支柱３２と、支柱３２で囲まれた空間の底部分に配置された底板３３を有しており、適宜、底板の上方には棚板３４を配置し、更に、支柱３２の下端には移動用のキャスター３５を取り付けている。
【０００４】
そして、このように構成される商品陳列用什器を使用する場合には、商品売り場や展示場に商品陳列用什器３１を配置し、底板３３及び棚板３４の上にパネル等の商品３６を縦置きする。そうすると、パネル等の商品３６を販売用に陳列することができるとともに、多数枚のパネル等の商品３６を陳列することが可能となる。図７がパネル等の商品３６を陳列した状態を示した図である。
【０００５】
なお、図６、７は、商品陳列用什器を連結した形態としており、一方の底板３３の上方にのみ棚板３４を配置して、これにより、大型のパネル、中型のパネル、小型のパネルの３種類のパネルを陳列可能としているが、必ずしも連結して使用する必要は無い。
【先行技術文献】
【特許文献】
【０００６】
【特許文献１】特開２０１９−０４７９０１号公報
【特許文献２】特開２０１８−１６６９６０号公報
【特許文献３】特開２０１８−１１７９８３号公報
【考案の概要】
【考案が解決しようとする課題】
【０００７】
ところで、前述した従来の商品陳列用什器は、組み立てた後は、形状が固定されてしまうために、かさばってしまい、これを他の場所に移動する場合には多数個を運搬することができず、運搬コストが高くなってしまうという問題点が指摘されていた。
【０００８】
その一方、運搬のたびごとに分解していたのでは作業が煩雑になってしまい煩わしさに堪えないという問題点が考えられる。
【０００９】
そこで、本考案は、簡単な操作で折り畳んでコンパクトにすることを可能にすることで、運搬時にスペースをとることを無くして、大量の運搬を可能にした商品陳列用什器を提供することを課題としている。
【課題を解決するための手段】
【００１０】
本考案の商品陳列用什器は、
間隔を置いて配置した一対の縦枠用フレーム材と、該縦枠用フレーム材を連結した横枠用フレーム材と、をそれぞれ具備して、間隔を置いて配置された一対のフレームと、
該一対のフレーム間に配置された底板と、を具備した商品陳列用什器であって、
前記底板は、
一対の板材を、側面を対向させながら隣り合う配置にすることで構成するとともに、
正面及び背面の両端部分をそれぞれ、前記フレームを構成する縦枠用フレーム材に上下方向に回動自在に連結し、
前記一対の板材の正面及び背面における互いに隣り合う部分に、前記一対の板材のそれぞれが上下方向に回動自在になるように可動フレームを連結し、
該可動フレームを上昇させることで、前記底板を山折りに折り畳むことを可能にした、ことを特徴としている。
【考案の効果】
【００１１】
本考案の商品陳列用什器では、間隔を置いて配置された一対のフレーム間に底板を配置して構成された商品陳列用什器において、底板を、一対の板材を側面を対向させながら隣り合う配置にして構成するとともに、正面及び背面の両端部分をそれぞれ、フレームを構成する縦枠用フレーム材に上下方向に回動自在に連結し、一対の板材の正面及び背面における互いに隣り合う部分に、板材のそれぞれが回動自在となるように可動フレームを連結しており、これにより、可動フレームを上昇させることで底板を山折りに折り畳むことを可能にしている。
【００１２】
そのために、底板を折り畳むことで、全体をコンパクトにすることができるために、折りたたむことで、運搬時にスペースをとることを無くして、大量の運搬を可能にしている。そしてこのとき、可動フレームを上昇させることのみで底板を山折りに折り畳むことを可能にしているために、簡単な操作で全体を折り畳むことが可能である。
【図面の簡単な説明】
【００１３】
【図１】本考案の商品陳列用什器の実施例の斜視図である。
【図２】本考案の商品陳列用什器の実施例における底板を構成する板材を示す図である。
【図３】本考案の商品陳列用什器の実施例において底板と可動フレームを連結する連結金具を説明するための図である。
【図４】本考案の商品陳列用什器の実施例における底板の作用を連結する連結金具を説明するための図である。
【図５】本考案の商品陳列用什器の実施例における底板の作用を説明するための図である。
【図６】従来の商品陳列用什器を説明するための図である。
【図７】従来の商品陳列用什器を説明するための図である。
【考案を実施するための形態】
【００１４】
本考案の商品陳列用什器では、間隔を置いて配置された一対のフレームを有しており、この一対のフレームはそれぞれ、間隔を置いて配置した一対の縦枠用フレーム材と、この縦枠用フレーム材を連結した横枠用フレーム材とを具備している。
【００１５】
また、この一対のフレーム間には底板が配置されており、間隔を置いて配置された一対のフレームと、この一対のフレーム間に配置された底板とで、本考案の商品陳列用什器が構成されている。
【００１６】
そして、底板は、一対の板材を、側面を対向させながら隣り合う配置にすることで構成され、底板の正面及び背面の両端部分の４か所はそれぞれ、フレームを構成する縦枠用フレーム材に、上下方向に回動自在に連結されている。
【００１７】
また、一対の板材の正面及び背面における互いに隣り合う部分には可動フレームが連結されており、連結に際しては、一対の板材のそれぞれが、上下方向に回動自在とされている。
【００１８】
そしてこれにより、可動フレームを上昇させることで、底板を山折りに折り畳むことを可能にしている。
【００１９】
ここで、可動フレームは、一対の板材のそれぞれに固定した連結金具を介して一対の板材のそれぞれに連結するとよく、そのとき、連結金具は、一対の板材に固定された装着片と、この装着片に連設した延長片とを具備し、延長片にはピン孔を有し、それぞれのピン孔が重なる配置で一対の板材のそれぞれに連結金具を固定し、可動フレームに突設したピン部材でピン孔を貫通することで、可動フレームを一対の板材のそれぞれに固定するとよい。
【実施例１】
【００２０】
本考案の商品陳列用什器の実施例について図面を参照して説明すると、図１は、本実施例の商品陳列用什器の斜視図であり、図において１が本実施例の商品陳列用什器である。
【００２１】
そして、本実施例の商品陳列用什器１は、一対のフレームを有しており、この一対のフレームは、間隔を置いて配置されている。即ち、図において２がそれぞれフレームであり、このフレーム２は、それぞれ、一対の長尺の縦枠用フレーム材３を有しており、この縦枠用フレーム材３は間隔を置いて配置されている。
【００２２】
また、前記フレーム２はそれぞれ、長尺の横枠用フレーム材を有している。即ち、図において４が横枠用フレーム材であり、本実施例において横枠用フレーム材４は、前記一対の縦枠用フレーム材３を、下端部近傍部分、上端部近傍部分及び、下端部と上端部間でそれぞれ、連結している。そして、一対の長尺の縦枠用フレーム材３と、間隔を置いて配置した縦枠用フレーム材３を連結した横枠用フレーム材４によって、フレーム２が構成されており、本実施例においては、前述したように、一対個のフレーム２を、間隔を置いて配置している。
【００２３】
次に、図において６は底板である。即ち、本実施例の商品陳列用什器１では底板６を有しており、この底板６は、前記一対のフレーム２間の下方部分に配置されている。そして、本実施例において前記底板６は、一対の板材を、側面を対向させながら隣り合う配置にすることで構成している。
【００２４】
ここで、前記板材について説明すると、図２が本実施例において前記底板６を構成する板材の斜視図であり、図において７が板材である。そして、本実施例において前記板材７は、平面視野を長方形状とした平面状の本体部８と、この本体部８の長辺部分のそれぞれを上方に折り曲げて形成した立ち上がり面９と、本体部８の短辺部分のそれぞれを下方に折り曲げて形成した連結面１０とを具備している。なお、図において１１は、前記連結面１０の裏面に配置した角パイプ状の補強部材である。
【００２５】
そして、本実施例において前記底板６は、前述のように構成された一対の板材７を、板材７の側面である立ち上がり面９を互いに対向させながら、隣り合う配置にすることで構成されている。
【００２６】
また、前記底板６は、正面及び裏面の連結面１０が前記縦枠用フレーム材３間に位置するように配置されており、正面及び裏面の連結面１０は、前記縦枠用フレーム材３に突設したピン部材に回動自在に軸支され、これにより、一対の板材７のそれぞれは、軸支部分を支点にして回動自在としている。
【００２７】
次に、図において１２は可動フレームである。即ち、本実施例において前記底板６を構成する一対の板材７はそれぞれ、表面及び裏面において、互いに隣り合う部分に可動フレーム１２が回動自在に連結されており、これにより、可動フレーム１２を上昇させることで、底板６を山折りに折り畳むことを可能にしている。
【００２８】
この関係を、図３、４、５を参照して説明すると、図３は、底板６に可動フレーム１２を連結するために用いる連結金具１３を示す図である。そして、本実施例においては、前記可動フレーム１２は、連結金具１３によって、板材７の表面及び裏面において、板材７の互いに隣り合う部分に連結されている。また、本実施例において連結金具１３は、板材７の一方の連結面１０に固定される一方側連結金具１３ａと、板材７の他方の連結面１０に固定される他方側連結金具１３ｂで構成されている。
【００２９】
ここで、連結金具１３ａ、１３ｂについて説明すると、前記連結金具１３ａ、１３ｂはそれぞれ、板材７の連結面に固定される装着片１４を有しており、この装着片１４には、連結金具１３ａ、１３ｂを板材７に固定するためのビス孔が形成されている。
【００３０】
また、前記それぞれの装着片１４の一端部分には、下方に向けて、延長片１５が連設され、この延長片１５には、ピン孔１６が穿孔されている。
【００３１】
そして、このように構成される連結金具１３ａ、１３ｂは、前記ピン孔１６が互いに重なるように延長片１５が重ねられ、板材７の一方及び他方の連結面１０のそれぞれに、一方側連結金具１３ａ及び他方側連結金具１３ｂがそれぞれビス等で固定されている。
【００３２】
なお、図３からも明らかなように、連結金具の他方１３ｂには、装着片１４と延長片１５の間に、連結金具の厚み方向に突出させた段差部１７を形成している。そして、これにより、ピン孔１６が互いに重なるように延長片１５を重ねた状態では、一方側連結金具１３ａの延長片１５が他方側連結金具１３ａの段差部１７内に挿入され、それにより、板材７の一方及び他方の連結面１０に、一方側連結金具１３ａ及び他方側連結金具１３ｂの装着片１４を固定可能としている。
【００３３】
次に、このようにして板材７の表面及び裏面に連結金具１３ａ、１３ｂを固定した後に、連結金具１３が回動自在なように、ピン部材１８でピン孔１６を貫通するとともに、このピン部材１７における反底板側の端部を、長尺の可動フレーム１２に連結し、これにより、前記一対の板材７の表面及び裏面における互いに隣り合う部分を、可動フレーム１２に回動自在に連結する。そうするとこれにより、底板６における正面及び裏面の連結面１０が縦枠用フレーム材３に突設したピン部材に回動自在に軸支されているために、底板６が平面状態のときに可動フレーム１２を上昇させることで、板材７の互いに隣り合う部分を上昇させて底板６を山折りに折り畳むことができ、折りたたんだ状態で可動フレーム１２を下降させることで、折りたたんだ底板６を平面状態に戻すことが可能である。
【００３４】
即ち、図４、図５が、板材７に可動フレーム１２を連結させた状態を示した図であり、図４は正面から見た状態、図５は平面から見た状態を示しており、図４においては、理解を容易にするために可動フレーム１２における底板６の上方部分を点線で示している。そして、図４、図５のいずれも、底板６が平面状態のときを示しており、この状態において、図４の矢印Ａ方向に可動フレーム１２を上昇させることで、板材７は矢印Ｂ方向に回動し、それにより、底板６を山折りに折り畳むことができる。
【００３５】
なお、図１において１９は棚である。即ち、本実施例においては、底板６を構成する板材７と同様の板材を更に、底板６の上方に設置して棚１９として、小さめの商品を棚１９上に陳列可能としている。そして、棚１９の取り付けに際しては、前記板材７の取り付けの場合と同様に、正面及び裏面において、左右側の端部をピン部材によって、縦枠用フレーム３と可動フレーム１２に上下方向に回動自在に連結して可動フレーム１２を上昇することで、可動フレーム１２に連結した部分を上昇させて縦方向に畳むことを可能にしている。
【００３６】
また、図において５は、前記一対のフレーム２のそれぞれの縦枠用フレーム材３の一方側を互いに連結する補強用フレーム材である。そして、この補強用フレーム５は、一方の縦枠用フレーム材３と可動フレーム１２を連結した一方側補強用フレーム材５ａと、他方の縦枠用フレーム材３と可動フレーム１２を連結した他方側補強用フレーム材５ｂとで構成されており、いずれの補強用フレーム材５ａ、５ｂも、縦枠用フレーム材３及び可動フレーム１２に回動自在に連結されており、可動フレーム１２を上昇させることで、山折りになり、底板６を山折りに折り畳むことを可能にしている。更に、図１において２０は縦枠用フレーム材３の下端に装着した移動用のキャスターである。なお、一方側補強用フレーム材５ａと他方側補強用フレーム材５ｂを可動フレーム１２に連結する方法は特に限定されないが、前述底板の場合と同様に、連結金具１３ａ、１３ｂを用いて、ピン孔１６が互いに重なるように延長片１５を重ねつつ、一方側補強用フレーム材５ａと他方側補強用フレーム材５ｂに一方側連結金具１３ａ及び他方側連結金具１３ｂを固定し、その後に、連結金具１３が回動自在なように、ピン部材１８でピン孔１６を貫通するとともに、このピン部材１７を可動フレーム１２に連結するとよく、これにより、可動フレーム１２を上昇させることで山折りにすることが可能である。
【００３７】
次に、このように構成される本実施例の商品陳列用什器の実施例の作用を説明すると、本実施例の商品陳列用什器１は、図１に示すような、可動フレーム１２を下降させ、底板６を平板状態に展開した形態が通常の状態であり、この状態において、底板６や棚１９上にパネル、ボード等を縦置きすることで、商品を展示のために陳列することが可能となる。
【００３８】
そして一方、底板６を平板状態に展開した通常の状態において、可動フレーム１２を上昇させると、前述したように、底板６を山折りに折り畳むことができ、これにより、全体を小さくすることが可能である。
【００３９】
このように、本実施例の商品陳列用什器では、可動フレームを上昇させることで底板を山折りに折り畳むことを可能にしており、底板を折り畳むことで、全体をコンパクトにすることができるので、簡単な操作で、運搬時や収納時にスペースをとることが無く、大量の運搬や収納を可能にしている。
【産業上の利用可能性】
【００４０】
本考案の商品陳列用什器では、簡単な操作で折り畳んでコンパクトにすることが可能であるために、売り場や展示会場において商品を陳列するための什器の全般に適用可能である。
【符号の説明】
【００４１】
１    商品陳列用什器
２    フレーム
３    縦枠用フレーム材
４    横枠用フレーム材
５    補強用フレーム材
６    底板
７    板材
８    本体部
９    立ち上がり面
１０    連結面
１１    補強部材
１２    可動フレーム
１３    連結金具
１３ａ  一方側連結金具
１３ｂ  他方側連結金具
１４    装着片
１５    延長片
１６    ピン孔
１７    段差部
１８    ピン
１９    棚
２０    キャスター
【図１】
0003222586.tif 000003
【図２】
0003222586.tif 000004
【図３】
0003222586.tif 000005
【図４】
0003222586.tif 000006
【図５】
0003222586.tif 000007
【図６】
0003222586.tif 000008
【図７】
0003222586.tif 000009